(57)【要約】【課題】商品棚上の商品に付されたＲＦＩＤタグとの通信可能範囲を、該ＲＦＩＤタグの位置に応じて容易に設定することの可能なリーダライタ用アンテナを提供する。【解決手段】商品棚１１の前後方向に沿って互いに対向するように設けられた一組の第１の導体１１０ａと、商品棚１１の幅方向に沿って互いに対向するように設けられ、それぞれ各第１の導体１１０ａを電気的に接続する一組の第２の導体（接続部１１０ｂ，可動接続部１１０ｃ）とを設け、各第２の導体１１０ｂ，１１０ｃを、各第２の導体１１０ｂ，１１０ｃの対向方向に沿って移動可能に形成した。【選択図】  図４
2009124549.tif 000002
【特許請求の範囲】
【請求項１】
商品棚に陳列されている商品に付されたＲＦＩＤタグと通信可能なリーダライタ用アンテナにおいて、
前記商品棚の幅方向及び前後方向の何れか一方に沿って互いに対向するように設けられた一組の第１の導体と、
前記商品棚の幅方向及び前後方向の何れか他方に沿って互いに対向するように設けられ、それぞれ各第１の導体を電気的に接続する一組の第２の導体とを設け、
各第１の導体及び各第２の導体の少なくとも一方を、それぞれの対向方向に沿って移動可能に形成した
ことを特徴とするリーダライタ用アンテナ。
【請求項２】
前記各第１の導体の少なくとも一方を、各第１の導体の対向方向に沿って移動可能に形成した
ことを特徴とする請求項１記載のリーダライタ用アンテナ。
【請求項３】
前記各第２の導体の少なくとも一方を、各第２の導体の対向方向に沿って移動可能に形成した
ことを特徴とする請求項１または２記載のリーダライタ用アンテナ。
【請求項４】
商品棚に陳列されている商品に付されたＲＦＩＤタグと通信可能なリーダライタ用アンテナにおいて、
前記商品棚の幅方向及び前後方向の何れか一方に沿って互いに対向するように設けられた一組の第１の導体と、
前記商品棚の幅方向及び前後方向の何れか他方に沿って互いに対向するように設けられ、前記何れか他方の一端側において各第１の導体をそれぞれ電気的に接続する一組の第２の導体と、
前記何れか一方に沿って互いに対向するように設けられた一組の第３の導体と、
前記何れか他方に沿って互いに対向するように設けられ、前記何れか他方の他端側において各第２の導体をそれぞれ電気的に接続する一組の第４の導体とを設け、
各第１の導体の一方及び各第３の導体の一方と、各第２の導体の一方及び各第４の導体の一方との何れかを、それぞれの対向方向に沿って移動可能に形成した
ことを特徴とするリーダライタ用アンテナ。
【請求項５】
前記各第２の導体の他方を、各第２の導体の対向方向に沿って移動可能に形成した
ことを特徴とする請求項４記載のリーダライタ用アンテナ。
【請求項６】
前記各第４の導体の他方を、各第４の導体の対向方向に沿って移動可能に形成した
ことを特徴とする請求項５記載のリーダライタ用アンテナ。
【発明の詳細な説明】
【技術分野】
【０００１】
本発明は、例えば商品棚に陳列されている商品に付されたＲＦＩＤタグと通信可能なリーダライタ用アンテナに関する。
【背景技術】
【０００２】
従来、この種のリーダライタ用アンテナとして、商品棚の上面に設けられるとともに、該商品棚の外周に沿った長方形のループ状に形成されているものが知られている（例えば特許文献１参照）。
【０００３】
このリーダライタ用アンテナは、該アンテナに接続されたリーダライタから送信された信号に基づき、商品に付されたＲＦＩＤタグとの間で非接触通信を行うようになっている。
【特許文献１】特開２００４−１４０５１３号公報
【発明の開示】
【発明が解決しようとする課題】
【０００４】
ところで、商品棚に陳列される商品は、その大きさや形状が商品の種類毎に異なっており、該商品に付されるＲＦＩＤタグは、該商品の大きさや形状に応じて貼付または取付可能な位置に配置される。この場合、ＲＦＩＤタグとリーダライタ用アンテナとの間の距離が、ＲＦＩＤタグの位置即ち商品毎に変わることから、該アンテナがＲＦＩＤタグと通信可能になるようにアンテナのサイズを設定する必要がある。
【０００５】
しかし、従来のリーダライタ用アンテナでは、そのサイズが予め設定されていることから、商品棚に陳列される商品の大きさが異なる場合には、該商品に付されたＲＦＩＤタグと通信可能なリーダライタ用アンテナを設計しなければならず、リーダライタ用アンテナ及びそれを設けた商品棚の製造コストが嵩むという問題点があった。
【０００６】
本発明は、上記事情に鑑みてなされたものであり、その目的とするところは、商品棚上の商品に付されたＲＦＩＤタグとの通信可能範囲を、該ＲＦＩＤタグの位置に応じて容易に設定することの可能なリーダライタ用アンテナを提供することにある。
【課題を解決するための手段】
【０００７】
本発明は、前記目的を達成するために、商品棚に陳列されている商品に付されたＲＦＩＤタグと通信可能なリーダライタ用アンテナにおいて、前記商品棚の幅方向及び前後方向の何れか一方に沿って互いに対向するように設けられた一組の第１の導体と、前記商品棚の幅方向及び前後方向の何れか他方に沿って互いに対向するように設けられ、それぞれ各第１の導体を電気的に接続する一組の第２の導体とを設け、各第１の導体及び各第２の導体の少なくとも一方を、それぞれの対向方向に沿って移動可能に形成している。
【０００８】
これにより、各第１の導体及び各第２の導体からなるループアンテナが形成され、各第１の導体及び各第２の導体の少なくとも一方が、それぞれの対向方向に沿って移動可能に形成されていることから、各導体の移動に基づき前記ループアンテナの大きさを変更することが可能となる。
【０００９】
また、本発明は、前記目的を達成するために、商品棚に陳列されている商品に付されたＲＦＩＤタグと通信可能なリーダライタ用アンテナにおいて、前記商品棚の幅方向及び前後方向の何れか一方に沿って互いに対向するように設けられた一組の第１の導体と、前記商品棚の幅方向及び前後方向の何れか他方に沿って互いに対向するように設けられ、前記何れか他方の一端側において各第１の導体をそれぞれ電気的に接続する一組の第２の導体と、前記何れか一方に沿って互いに対向するように設けられた一組の第３の導体と、前記何れか他方に沿って互いに対向するように設けられ、前記何れか他方の他端側において各第２の導体をそれぞれ電気的に接続する一組の第４の導体とを設け、各第１の導体の一方及び各第３の導体の一方と、各第２の導体の一方及び各第４の導体の一方との何れかを、それぞれの対向方向に沿って移動可能に形成している。
【００１０】
これにより、各第１の導体及び各第２の導体からなる第１のループアンテナが、商品棚の幅方向及び前後方向の何れか一方の一端側に形成されるとともに、各第３の導体及び各第４の導体からなる第２のループアンテナが、前記何れか一方の他端側に形成され、各第１の導体の一方及び各第３の導体の一方と、各第２の導体の一方及び各第４の導体の一方との何れかが、それぞれの対向方向に沿って移動可能に形成されていることから、各導体の移動に基づき第１及び第２のループアンテナの大きさを変更することが可能となる。
【発明の効果】
【００１１】
本発明によれば、各導体の移動に基づきループアンテナの大きさを変更することができるので、商品棚上の商品に付されたＲＦＩＤタグとの通信可能範囲を、該ＲＦＩＤタグの位置に応じて容易に設定することができる。従って、大きさや形状の異なる商品が新たに商品棚に陳列された場合でも、該商品に付されたＲＦＩＤタグと通信可能なリーダライタ用アンテナを新たに設計する必要がないので、リーダライタ用アンテナ及びそれを設けた商品棚の製造コストの低減化を図ることができる。
【発明を実施するための最良の形態】
【００１２】
本発明の第１の実施形態に係るリーダライタ用アンテナについて図面を参照して説明する。本実施形態のリーダライタ用アンテナは、ＲＦＩＤタグに記憶された情報を読み書きするリーダライタに接続されており、例えば紙パックやペットボトル入りの飲料等の複数の商品を陳列するショーケースの商品棚に設けられている。そして、リーダライタ用アンテナは、該商品棚上の商品に付されたＲＦＩＤタグとの間で信号を非接触で送受信するようになっている。この場合、店舗に設けた店舗コンピュータ（図示省略）と、リーダライタとを用いて、ショーケース内の各商品のＲＦＩＤタグに記憶された情報を所定時間毎に集計することにより、商品の在庫や賞味期限の管理等を自動で行うことが可能になる。
【００１３】
まず、リーダライタ用アンテナが設けられたショーケースについて説明する。図１にショーケースの斜視図を示す。このショーケース１０は、商品Ａを陳列するための複数段の商品棚１１と、商品Ａを冷却するための冷却機構とを備えている。商品ＡにはＲＦＩＤタグ（図示省略）が貼付されており、該ＲＦＩＤタグには、ＲＦＩＤタグの識別情報を表す固有番号が予め記憶されている。なお、冷却機構については従来周知のものと同様なのでここでは説明を省略する。また、店舗内にはＬＡＮが構築されており、ＬＡＮには、前記店舗コンピュータとショーケース１０が接続されている。
【００１４】
図２にショーケース１０の機能ブロック図を示す。このショーケース１０は、図２に示すように、前記ＲＦＩＤタグに記憶された情報の読み書きを行うリーダライタ１００と、リーダライタ１００と店舗コンピュータとの間に介在しリーダライタ１００を制御する制御装置１２とを備えている。なお、図２では、説明の簡略化のため冷却機構等の記載を省略している。
【００１５】
制御装置１２は、リーダライタ１００から受信したＲＦＩＤタグの固有番号を集計して店舗コンピュータに送信する制御部１２ａと、該制御部１２ａにおいて集計された固有番号を記憶する記憶部１２ｂと、リーダライタ１００と接続するための通信インタフェイス１２ｃと、ＬＡＮと接続するための通信インタフェイス１２ｄとを備えている。
【００１６】
制御部１２ａは、所定時間（例えば１時間）経過毎に、接続するリーダライタ１００に対して在庫管理用タグ検出要求を送信し、リーダライタ１００からＲＦＩＤタグの固有番号を受信すると、該固有番号を、通信インタフェイス１２ｄ及びＬＡＮを介して店舗コンピュータに送信する。また、制御部１２ａは、ＲＦＩＤタグから受信した固有番号を記憶部１２ｂに記憶する。
【００１７】
リーダライタ１００には、それぞれ対応する商品棚１１に設けた複数のリーダライタ用アンテナ（ループアンテナ）１１０が接続されている。また、リーダライタ１００は、リーダライタ１００全体を制御する制御部１０１と、通信回路部１０２と、複数の整合回路１０３と、制御装置１２に接続するための通信インタフェイス１０４とを備えている。
【００１８】
制御部１０１は、制御装置１２から情報表示用タグ検出要求を受信すると、インピーダンス調整用の制御信号、アンテナ切替制御用の制御信号及び商品情報取得信号を生成して通信回路部１０２に送信することにより、商品棚１１に陳列された商品ＡのＲＦＩＤタグの固有番号を、各ループアンテナ１１０を用いて順次取得する。そして、制御部１０１は、取得した全ての固有番号を、通信インタフェイス１０４を介して制御装置１２に送信する。
【００１９】
通信回路部１０２は、周知の混合器等から構成されており、制御部１０１から受信した商品情報取得信号にインピーダンス調整用の制御信号を重畳させたものを整合回路１０３に送信する。なお、通信回路部１０２には、スイッチ等の切替手段が設けられており、通信回路部１０２は、制御部１０１からアンテナ切替制御用の制御信号を受信すると、該制御信号に対応する整合回路１０３に対して上記重畳信号を送信する。
【００２０】
各整合回路１０３は、所定のインピーダンス素子とトランジスタやリレースイッチ等のスイッチ素子との直列回路を１つ又は複数設けたものからなり、インピーダンス調整用の制御信号に基づきスイッチ素子のオン・オフを切替えることにより定数を切替えることができるようになっている。なお、インピーダンス調整方法については出願人が提案した特願２００７−７８８７４号記載の技術を用いることも可能である。
【００２１】
次に、ループアンテナ１１０について説明する。図３にループアンテナ１１０の斜視図を示し、図４にループアンテナ１１０の平面図を示す。ループアンテナ１１０は、例えば銅線や銅箔等の導体からなり、商品棚１１の上面に設けられている。また、ループアンテナ１１０は、商品棚１１の幅方向（図中Ｘ方向）に延びるとともに、該商品棚１１の前後方向（図中Ｙ方向）に沿って互いに対向するように設けられた一組の第１の導体１１０ａと、該商品棚１１の幅方向一端側（図中左側）において各第１の導体１１０ａを電気的に接続する接続部１１０ｂと、該商品棚１１の幅方向に沿って移動可能に形成され、接続部１１０ｂと該商品棚１１の幅方向に沿って対向して各第１の導体１１０ａを電気的に接続する可動接続部１１０ｃとから構成されている。なお、接続部１１０ｂ及び可動接続部１１０ｃは、本願請求項でいう一組の第２の導体を構成している。
【００２２】
接続部１１０ｂは、商品棚１１の前後方向に延びるように形成されており、各第１の導体１１０ａと一体に設けられている。また、可動接続部１１０ｃは、商品棚１１上を幅方向に沿って移動可能に形成された商品仕切り板１３の下端側に設けられており、該商品棚１１の前後方向に延びるように形成されている。さらに、可動接続部１１０ｃの前後両端部１１０ｄは、各第１の導体１１０ａと電気的に接続されるようになっている。
【００２３】
以上のように構成されたループアンテナ１１０は、図４に示すように、商品仕切り板１３を商品棚１１の幅方向に移動させることにより、その大きさを変えることが可能になる。即ち、商品仕切り板１３を幅方向他端側（図中右側）に移動させると、可動接続部１１０ｃも幅方向他端側に移動することにより、各第１の導体１１０ａ、接続部１１０ｂ及び可動接続部１１０ｃからなるループアンテナ１１０のサイズが大きくなる。また、商品仕切り板１３を幅方向一端側（図中左側）に移動させると、可動接続部１１０ｃも幅方向一端側に移動することから、ループアンテナ１１０のサイズが小さくなる。これにより、商品Ａの大きさに応じてループアンテナ１１０のサイズを容易に変更することができる。
【００２４】
このように本実施形態に係るループアンテナ１１０によれば、第２の導体、即ち可動接続部１１０ｃの移動に基づきループアンテナ１１０の大きさを変更することができるので、商品棚１１上の商品Ａに付されたＲＦＩＤタグとの通信可能範囲を、該ＲＦＩＤタグの位置に応じて容易に設定することができる。従って、大きさや形状の異なる商品が新たに商品棚に陳列された場合でも、該商品Ａに付されたＲＦＩＤタグと通信可能なループアンテナ１１０を新たに設計する必要がないので、ループアンテナ１１０及びそれを設けた商品棚１１の製造コストの低減化を図ることができる。
【００２５】
また、各第２の導体の一方、即ち可動接続部１１０ｃを、接続部１１０ｃとの対向方向（商品棚１１の幅方向）に沿って移動可能に形成したので、例えば接続部１１０ｂと各第１の導体１１０ａとを一体に設けることが可能になる。従って、ループアンテナ１１０の部品点数を少なくすることができ、ループアンテナ１１０及びそれを設けた商品棚１１の製造コストをより低減させることができる。
【００２６】
以下に、本発明の第２の実施形態に係るリーダライタ用アンテナについて説明する。本実施形態が第１の実施形態と異なる点は、可動接続部１１０ｃだけでなく接続部１１０ｅも商品棚１１の幅方向に沿って移動可能に設けた点にある。他の構成及び動作については第１の実施形態と同様なので、ここでは相違点のみを説明する。
【００２７】
本実施形態の接続部１１０ｅは、商品棚１１上を幅方向に沿って移動可能に形成された第２の商品仕切り板１４の下端側に設けられており、該商品棚１１の前後方向に延びるように形成されている。また、接続部１１０ｅの前後両端部１１０ｆは、各第１の導体１１０ａと電気的に接続されるようになっている。
【００２８】
以上のように構成されたループアンテナ１１０は、図５に示すように、商品仕切り板１３及び第２の商品仕切り板１４を商品棚１１の幅方向に沿って移動させることにより、その大きさを変えることが可能になる。また、この場合には、商品棚１１上のループアンテナ１１０の配置位置を商品棚１１の幅方向に沿って移動させることができるので、商品Ａを、第１の実施形態のように幅方向一端側に寄せて配置する必要がない。従って、本実施形態のループアンテナ１１０を用いることにより、商品棚１１上の商品Ａの配置位置を柔軟に変更することができる。
【００２９】
このように本実施形態に係るループアンテナ１１０によれば、接続部１１０ｅ及び可動接続部１１０ｃを商品棚１１の幅方向に沿って移動可能に設けたので、商品Ａを幅方向一端側または幅方向他端側に寄せて配置する必要がないことから、商品棚１１上の商品Ａの配置を柔軟に変更することができる。
【００３０】
以下に、本発明の第３の実施形態に係るリーダライタ用アンテナについて説明する。本実施形態が第１の実施形態と異なる点は、ループアンテナ１１０（以下、第１のループアンテナ１１０と称する。）の他に第２のループアンテナ１２０を設けた点にある。他の構成及び動作については第１の実施形態と同様なので、ここでは相違点のみを説明する。
【００３１】
図６に本実施形態の第１のループアンテナ１１０及び第２のループアンテナの斜視図を示し、図７に各ループアンテナ１１０，１２０の平面図を示す。第２のループアンテナ１２０は、例えば銅線や銅箔等の導体からなり、商品棚１１の上面且つ第１のループアンテナ１１０の内側に設けられている。また、第２のループアンテナ１２０は、商品棚１１の幅方向（図中Ｘ方向）に延びるとともに、該商品棚１１の前後方向（図中Ｙ方向）に互いに対向するように設けられた一組の第３の導体１２０ａと、該商品棚１１の幅方向他端側（図中右側）において各第３の導体１２０ａを電気的に接続する第２の接続部１２０ｂと、該商品棚１１の幅方向に沿って移動可能に形成され、第２の接続部１２０ｂと該商品棚１１の幅方向に対向して各第３の導体１２０ａを電気的に接続する第２の可動接続部１２０ｃとから構成されている。なお、第２のループアンテナ１２０は、第１のループアンテナ１１０と同様にリーダライタ１００に接続されており、リーダライタ１００の制御部１０１により制御されるようになっている。また、第２の接続部１２０ｂ及び第２の可動接続部１２０ｃは、本願請求項でいう一組の第４の導体を構成している。
【００３２】
第２の接続部１２０ｂは、商品棚１１の前後方向に延びるように形成されており、各第３の導体１２０ａと一体に設けられている。また、第２の可動接続部１２０ｃは、商品仕切り板１３の幅方向他端側（図中右側）の下端に設けられており、該商品棚１１の前後方向に延びるように形成されている。さらに、第２の可動接続部１２０ｃの前後両端部１２０ｄは、各第３の導体１２０ａと電気的に接続されるようになっている。
【００３３】
以上のように構成された各ループアンテナ１１０，１２０は、図７に示すように、商品仕切り板１３を商品棚１１の幅方向に移動させることにより、それぞれの大きさを変えることが可能になる。即ち、商品仕切り板１３を幅方向他端側（図中右側）に移動させると、可動接続部１１０ｃ及び第２の可動接続部１２０ｃも幅方向他端側に移動することにより、各第１の導体１１０ａ、接続部１１０ｂ及び可動接続部１１０ｃからなる第１のループアンテナ１１０のサイズが大きくなる一方で、各第３の導体１２０ａ、第２の接続部１２０ｂ及び第２の可動接続部１２０ｃからなる第２のループアンテナ１２０のサイズが小さくなる。また、商品仕切り板１３を幅方向一端側（図中左側）に移動させると、可動接続部１１０ｃ及び第２の可動接続部１２０ｃも幅方向一端側に移動することから、第１のループアンテナ１１０のサイズが小さくなる一方で、第２のループアンテナ１２０のサイズが大きくなる。これにより、一つの商品棚１１上に異なる種類の商品が陳列された場合でも、各商品の大きさに応じてループアンテナ１１０，１２０のサイズを容易に変更することができる。
【００３４】
このように本実施形態に係るループアンテナ１１０によれば、各第２の導体の一方即ち可動接続部１１０ｃ及び各第４の導体の一方即ち第２の可動接続部１２０ｃを、それぞれの対向方向（図中Ｘ方向）に沿って移動可能に形成したので、可動接続部１１０ｃ及び第２の可動接続部１２０ｃの移動に基づき各ループアンテナ１１０，１２０の大きさを変更することができる。これにより、商品棚１１上の商品Ａに付されたＲＦＩＤタグとの通信可能範囲を、該ＲＦＩＤタグの位置に応じて容易に設定することができる。また、一つの商品棚１１上に異なる種類の商品が陳列された場合でも、各商品の大きさに応じてループアンテナ１１０，１２０のサイズを容易に変更することができる。従って、大きさや形状の異なる商品が新たに商品棚に陳列された場合でも、該商品Ａに付されたＲＦＩＤタグと通信可能なループアンテナ１１０，１２０を新たに設計する必要がないので、ループアンテナ１１０，１２０及びそれらを設けた商品棚１１の製造コストの低減化を図ることができる。
【００３５】
以下に、本発明の第４の実施形態に係るリーダライタ用アンテナについて説明する。本実施形態が第３の実施形態と異なる点は、第２の接続部１２０ｂを商品棚１１の幅方向に沿って移動可能に設けた点にある。他の構成及び動作については第３の実施形態と同様なので、ここでは相違点のみを説明する。
【００３６】
本実施形態の第２の接続部１２０ｅは、商品棚１１上を幅方向に沿って移動可能に形成された第３の商品仕切り板１５の下端側に設けられており、該商品棚１１の前後方向に延びるように形成されている。また、第２の接続部１２０ｅの前後両端部１２０ｆは、各第３の導体１２０ａと電気的に接続されるようになっている。
【００３７】
以上のように構成された第２のループアンテナ１２０は、図８に示すように、商品仕切り板１３及び第３の商品仕切り板１５を商品棚１１の幅方向に移動させることにより、その大きさを変えることが可能になる。また、この場合には、商品棚１１上の第２のループアンテナ１２０の配置位置を商品棚１１の幅方向に沿って移動させることができるので、商品Ａを、第３の実施形態のように幅方向他端側に寄せて配置する必要がない。従って、商品棚１１上の商品Ａの配置位置を柔軟に変更することができる。
【００３８】
このように本実施形態のループアンテナによれば、各第２の導体の他方、即ち接続部１１０ｅを商品棚１１の幅方向に沿って移動可能に設けたので、第１のループアンテナ１１０と通信可能なＲＦＩＤタグが付された商品Ａを幅方向一端側に寄せて配置する必要がないことから、該商品Ａの配置位置を柔軟に変更することができる。
【００３９】
また、各第４の導体の他方、即ち第２の接続部１２０ｅを商品棚１１の幅方向に沿って移動可能に設けたので、第２のループアンテナ１２０と通信可能なＲＦＩＤタグが付された商品Ａを幅方向他端側に寄せて配置する必要がないことから、該商品Ａの配置位置を柔軟に変更することができる。
【００４０】
なお、上記実施形態は本発明の具体例に過ぎず、本発明が上記実施形態のみに限定されることはない。例えば、上記実施形態では、各第１の導体１１０ａ及び各第３の導体１２０ａを商品棚１１の幅方向に延びるように設けるとともに、各第２の導体１１０ｂ，１１０ｃ及び各第４の導体１２０ｂ，１２０ｃを商品棚１１の前後方向に延びるように設けたものを示したが、図９に示すように各第１の導体１１０ａ及び各第３の導体１２０ａを商品棚１１の前後方向に延びるように設けるとともに、各第２の導体１１０ｂ，１１０ｃ及び各第４の導体１２０ｂ，１２０ｃを商品棚１１の幅方向に延びるように設けてもよい。
【００４１】
また、図９に示された各第１の導体１１０ａ及び各第３の導体１２０ａのそれぞれの幅方向一端側を、商品棚１１の幅方向に移動可能に形成してもよい。これにより、各ループアンテナ１１０，１２０の幅方向及び前後方向のサイズを変更することができる。
【図面の簡単な説明】
【００４２】
【図１】ショーケースの斜視図
【図２】ショーケースの機能ブロック図
【図３】本発明の第１の実施形態を示すリーダライタ用アンテナの斜視図
【図４】図３に示したリーダライタ用アンテナの平面図
【図５】本発明の第２の実施形態を示すリーダライタ用アンテナの平面図
【図６】本発明の第３の実施形態を示すリーダライタ用アンテナの斜視図
【図７】図６に示したリーダライタ用アンテナの平面図
【図８】本発明の第４の実施形態を示すリーダライタ用アンテナの平面図
【図９】リーダライタ用アンテナの変形例を示す図
【符号の説明】
【００４３】
１０…ショーケース、１１…複数の商品棚、１００…リーダライタ、１１０…ループアンテナ、１１０ａ…一組の第１の導体、１１０ｂ，１１０ｅ…接続部、１１０ｃ…可動接続部、１２０…第２のループアンテナ、１２０ａ…一組の第３の導体、１２０ｂ，１２０ｅ…第２の接続部、１２０ｃ…第２の可動接続部、Ａ…商品。
【図１】
2009124549.tif 000003
【図２】
2009124549.tif 000004
【図３】
2009124549.tif 000005
【図４】
2009124549.tif 000006
【図５】
2009124549.tif 000007
【図６】
2009124549.tif 000008
【図７】
2009124549.tif 000009
【図８】
2009124549.tif 000010
【図９】
2009124549.tif 000011